(57)【要約】      （修正有）【課題】設置が容易で大容量の給水タンクを有しなくても長期間にわたって水洗トイレの使用を可能にできる非常用トイレ給水装置を提供する。【解決手段】非常用トイレ給水装置１は、貯水器２と、貯水器２内の水を水洗トイレのタンクへ供給するための給水ホース３と、給水ホース３に設けられた給水ポンプ４と、を備える。貯水器２の上面２ａには漏斗状の給水口２２が設けられ、給水口２２を介して貯水器２に水が補給される。【選択図】図２
0003209243.tif 000002
【実用新案登録請求の範囲】
【請求項１】
貯水器と、
前記貯水器内の水を水洗トイレのタンクへ供給するための給水ホースと、
前記給水ホースに設けられた給水ポンプと、を備え、
前記貯水器の上面には漏斗状の給水口が設けられ、前記給水口を介して前記貯水器に水が補給されることを特徴とする非常用トイレ給水装置。
【請求項２】
前記給水口は、大径部と、小径部と、前記大径部と前記小径部とを接続するテーパ状の中間部と、を有し、前記大径部の内寸は１１４ｍｍ〜１２０ｍｍであり、前記小径部の内寸は３６ｍｍ〜４０ｍｍであることを特徴とする請求項１に記載の非常用トイレ給水装置。
【請求項３】
前記給水口は、小径部と、前記小径部から上方に起立する椀状部と、を有し、前記小径部の内寸は３６ｍｍ〜４０ｍｍであり、前記椀状部の縦断面の曲率半径は８０ｍｍ〜８５ｍｍであることを特徴とする請求項１に記載の非常用トイレ給水装置。
【請求項４】
前記貯水器を収容する外枠を更に備え、前記外枠には乾電池を収容するための電池室が設けられ、前記給水ポンプは前記電池室に収容された乾電池により駆動されることを特徴とする請求項１〜３の何れかに記載の非常用トイレ給水装置。
【請求項５】
前記給水口は、前記貯水器の上面に設けられた接続口と、前記接続口に着脱可能に装着された漏斗部材と、を有することを特徴とする請求項１〜４の何れかに記載の非常用トイレ給水装置。
【請求項６】
水位センサを更に備え、
前記水位センサは、前記貯水器内の水レベルが所定レベルに達すると、これを周囲に報知することを特徴とする請求項１〜５の何れかに記載の非常用トイレ給水装置。
【請求項７】
前記タンクと前記タンクの上開口を覆う蓋との間に介在される環状のスペーサを更に備え、
前記給水ホースの先端にはアダプタが連結され、
前記アダプタは前記スペーサの開口部に挿通され、
前記貯水器内の水は前記アダプタを介して前記タンクへ供給されることを特徴とする請求項１から６の何れかに記載の非常用トイレ給水装置。
【考案の詳細な説明】
【技術分野】
【０００１】
本考案は、水洗トイレに給水することにより断水時等においても水洗トイレの利用を可能にするための非常用トイレ給水装置に関する。
【背景技術】
【０００２】
震災時における断水によって住戸への給水が途絶えると、水洗トイレの使用ができなくなるが、配水に加圧ポンプを使用している住戸においては停電やトランス故障によっても給水が途絶えてしまい、また受水槽の設備補修時においても断水は発生する。特に、近年では大型台風の発生に伴い落雷を原因とするトランス故障も珍しくない。
【０００３】
このように給水が途絶えた場合であっても水洗トイレを利用可能にするための給水装置が提案されている。例えば、特許文献１に開示のトイレ用給水装置は、止水栓から供給される水道水を給水タンクを介して水洗トイレの水タンクへ供給することで給水タンクに水道水を常時備蓄しておき、断水時には給水タンク内の水を水洗トイレに利用できるように構成されている。
【先行技術文献】
【特許文献】
【０００４】
【特許文献１】登録実用新案公報第３１７８３０８号
【考案の概要】
【考案が解決しようとする課題】
【０００５】
しかしながら、上述したトイレ用給水装置は、給水タンクの貯水量が残存する限りにおいて水洗トイレの使用を可能にするものであり、給水タンクが空になると、それ以降は水洗トイレの使用を継続することはできない。給水タンクの容量を大きくすれば、水洗トイレの継続利用可能期間を長く保てるが、限られた空間のトイレ室に設置できる給水タンクの容量には限界があった。また、別室に大容量の給水タンクを設置しようとすると、給水タンクと水洗トイレとを接続する配水管の設置に工事が必要となり、トイレ用給水装置の設置が容易でないという問題があった。
【０００６】
本考案は、設置が容易で大容量の給水タンクを有しなくても長期間にわたって水洗トイレの使用を可能にできる非常用トイレ給水装置の提供を目的とする。
【課題を解決するための手段】
【０００７】
本考案に係る非常用トイレ給水装置は、貯水器と、前記貯水器内の水を水洗トイレのタンクへ供給するための給水ホースと、前記給水ホースに設けられた給水ポンプと、を備え、前記貯水器の上面には漏斗状の給水口が設けられ、前記給水口を介して前記貯水器に水が補給されることを特徴とする。
【考案の効果】
【０００８】
本考案に係る非常用トイレ給水装置は、貯水器に給水するための給水口が設けられているので、貯水器内の水が空になっても給水口を介して貯水器に給水することができる。よって、必ずしも大容量の貯水器を有する必要はなく、例えば複数本のペットボトルに分けて保管されていた備蓄水を貯水器に供給することができ、これにより断水時等における長期間にわたる水洗トイレの使用が可能になる。
【図面の簡単な説明】
【０００９】
【図１】本考案の第１実施形態に係る非常用トイレ給水装置の設置例を示す斜視図。
【図２】図１のＩＩーＩＩ線概略断面図。
【図３】図２に示す非常用トイレ給水装置が備える給水口の拡大断面図。
【図４】本考案の第２実施形態に係る非常用トイレ給水装置の概略断面図。
【図５】本考案の第３実施形態に係る非常用トイレ給水装置が備える給水口を示す拡大断面図。
【図６】本考案の非常用トイレ給水装置の使用形態を示す図であり、（ａ）は水洗トイレとの接続を示す斜視図、（ｂ）は（ａ）のＶＩｂーＶＩｂ線断面図、（ｃ）は（ｂ）のＶＩｃーＶＩｃ線断面図。
【考案を実施するための形態】
【００１０】
［第１実施形態］
以下、添付図面を参照して、本考案の実施形態に係る非常用トイレ給水装置について説明する。図１及び図２を参照して、本実施形態に係る非常用トイレ給水装置１は、トイレ室Ｒに設置されて断水時に水洗トイレＡのタンクＴへ水を供給するものであり、貯水器２と、貯水器２内の水Ｗを水洗トイレＡのタンクＴへ供給するための給水ホース３と、給水ホース３に設けられたタイマ付きの給水ポンプ４と、水量センサ５と、貯水器２を収容する外枠６と、を備える。
【００１１】
貯水器２の上面２ａには給水口２２が設けられ、この給水口２２を介して水を貯水器２へ補給できるようにされている。給水口２２は横断面円形状を有する漏斗状であって、図３に示す様に、大径部２２ａと、貯水器２の上面２ａから起立する小径部２２ｂと、大径部２２ａと小径部２２ｂとを接続するテーパ状の接続部２２ｃと、を有し、逆さにした２リットルのペットボトルＢを給水口２２に差し込んで水を補給できるようにされている。このとき、ペットボトルＢの口部は小径部２２ｂに差し込まれ、ペットボトルＢの肩部は接続部２２ｃにより下方から支持され、ペットボトルＢの胴部の下方部位は大径部２２ａにより保持されて、使用者がペットボトルＢを保持しなくてもペットボトルＢが転倒が防止される。
【００１２】
ここで、小径部２２ｂの内寸Ｌ１は３６ｍｍ〜４０ｍｍであるのが好ましく、３６ｍｍ〜３８ｍｍであるのが更に好ましい。また、接続部２２ｃの内面のテーパ角度α１は約９０°であるのが好ましい。一般的な飲料水用のペットボトルの形状はほぼ規格化されていることから、小径部２２ｂの内寸Ｌ１を３６ｍｍ以上とすることにより、何れのメーカのペットボトルＢであっても、ＴＥリングが残存した状態のままの口部を小径部２２ｂに差し込むことが可能となる。また、小径部２２ｂの内寸Ｌ１を４０ｍｍ以下とすることにより、ペットボトルＢの首部が小径部２２ｂ内でぐらつくのを抑え、ペットボトルＢを安定的に保持することができる。更に、テーパ角度α１を約９０°とすることにより、何れのメーカのペットボトルＢであっても、接続部２２ｃの内面によりペットボトルＢの肩部を下方から支持することができ、ペットボトルＢの転倒を防止することができる。
【００１３】
また、大径部２２ａの内寸Ｌ２は１１４ｍｍ〜１２０ｍｍであるのが好ましく、１１４ｍｍ〜１１８ｍｍであるのがより好ましい。上述したように一般的なペットボトルの形状はほぼ規格化されていることから、大径部２２ａの内寸Ｌ２を１１４ｍｍ以上とすることにより、どのメーカのペットボトルＢであっても収容することができ、また１２０ｍｍ以下とすることにより大径部２２ａによりペットボトルＢの胴部を安定的に支持できる。
【００１４】
給水ホース３の一端部は貯水器２内に配置され、他端部は水洗トイレＡまで延び、給水ポンプ４が作動することにより、貯水器２内の水Ｗが水洗トイレＡのタンクＴへ供給される。図１に示す例では給水ホース３の他端部はタンクＴの手洗い管ＵにバンドＶにより固定され、上蓋Ｌに設けられた手洗鉢の排水口（図示せず）を介してタンクＴ内へ水を供給できるようにされている。
【００１５】
水量センサ５は、外枠６内に設けられたレベルセンサ５１と、外枠６の外面に設けられた報知器５２と、を備える。レベルセンサ５１は長さの異なる複数の検出電極５１ａを有し、貯水器２内の水レベルが所定レベルに達すると、報知器５２を作動させて周囲にこれを報知する。報知器５２による報知としては、例えばブザーなどの音による報知や、ＬＥＤの点灯等による報知が挙げられる。
【００１６】
外枠６の上面６ａには開口６ｂを覆う開閉可能な蓋６１が設けられ、蓋６１を開放することにより開口６ｂを介した供給口２２へのアクセスが可能となる。また、外枠６には複数の乾電池７を収容するための電池室８が設けられ、給水ポンプ４及び水量センサ５は電池室８に収容された乾電池７により駆動される。本実施形態では乾電池７として８本の単１電池を用いる。なお、電池室８へのアクセスは、外枠６に設けられた蓋６２を開放することにより可能である。外枠６には更に給水ポンプ４を作動させるための作動スイッチ９が設けられ、作動スイッチ９が押されると給水ポンプ４が一定時間作動し、その後自動停止する。更に、外枠６の側壁にはスリット６ａが設けられ、スリット６ａを介して貯水器２内の水レベルを目視により確認できるようになっている。
【００１７】
このように構成された非常用トイレ給水装置１は、断水や停電等により止水栓（図示せず）から水洗トイレＡへの給水が途絶えた場合において、次の様に使用される。まず、使用者は蓋６１を開放し、水の入ったペットボトルＢを逆さにして給水口２２に差し込み、貯水器２に水を溜める。ペットボトルＢ１本分の水では足りない場合には、他のペットボトルＢと差し替えて水を溜めていく。このとき、外枠６にはスリット６ａが設けられているので、使用者は水レベルを目視で確認しながら水の補給を行うことができる。また、貯水器２内の水レベルが所定レベルに達した場合には水量センサ５の報知器５２が作動するので、誤って水が溢れてしまうような失敗も防止できる。ここで、水量センサ５を作動させる水レベルとしては、貯水器２の満水レベルよりも２リットル分（即ち、２リットルのペットボトルＢ１本分）だけ低い水レベル以下とするのが好ましい。このように設定することで、２リットルのペットボトルＢを用いた補水中に報知器５２が作動したときでも、水を溢れさせることなく当該ペットボトルＢを空にするまで水の補給を継続することができる。
【００１８】
貯水器２に十分な量の水が溜まったら、作動スイッチ９を押して貯水器２内の水をタンクＴへ供給させる。このとき、給水ポンプ４の作動時間（タイマ設定時間）は給水ポンプ４の給水能力やタンクＴの容量、水洗トイレＡの１回の使用に必要な水の量等に応じて適宜設定すればよい。このようにしてタンクＴに給水することで、水洗トイレＡの使用が可能になる。
【００１９】
このように、本実施形態に係る非常用トイレ給水装置１によれば、貯水器２が空になっても備蓄水を貯水器２に供給することで水洗トイレＡのタンクＴへの給水が可能になるので、備蓄水がある限り水洗トイレＡの使用を継続できる。また、大型タンクに水を備蓄しておく必要はないので、住居等に大型タンクを置くスペースがなくてもベランダの隅等の僅かな空きスペースに水を入れたペットボトルＢを置いておけば足り、家庭事情に応じた量の水を容易に備蓄することができる。また、消費期限が過ぎてしまったペットボトル入りの保存水は飲料用には不向きであるが、これを非常用トイレ給水装置１に使用することで、保存水を雑用水として簡易に有効利用することができる。更に、体力の弱った高齢者等であっても、自立した生活ができる程度の体力があれば水の入った２リットルのペットボトルＢの持ち運びは可能であるから、非常用トイレ給水装置１への水補給に困難性はない。
【００２０】
また、貯水器２の給水口２２は、差し込まれたペットボトルＢを保持できるので、使用者はペットボトルＢから貯水器２への給水中にペットボトルＢを保持し続ける必要はなく、貯水器２への給水時の負担を軽減できる。
【００２１】
更に、本実施形態の非常用トイレ給水装置１は、構成が簡単であるため製造コストを抑制でき、需要者に安価に提供できる。また、トイレ室Ｒに置いて給水ホース３を水洗トイレＡのタンクＴへ延ばすだけで非常用トイレ給水装置１の設置が完了するので、誰でも簡易に設置することができる。
【００２２】
また、給水ポンプ４等は乾電池７のみで駆動されるため、商用電源は不要であり、停電時においても使用が可能であると共に、平常時における待機電力も不要である。
【００２３】
なお、非常用トイレ給水装置１は、平時は貯水器２を空にしておき、断水時に上述のように備蓄水を貯水器２に供給して使用することもできるが、平時から貯水器２を満水にしておくこともできる。この場合には例えば、非常用トイレ給水装置１を設置した際に、フリーサイズ対応の給水用ホース（図示せず）の一端を手洗い管Ｕに接続して固定し、他端を貯水器２の給水口２２に挿入し、水洗トイレＴの流水レバーを引いて手洗い管Ｕからの水を貯水器２へ供給すればよい。このとき流水レバーは必要に応じて複数回、「大」、「小」  を使い分けて引き、貯水器２が溢れない程度に給水させる。
【００２４】
［第２実施形態］
次に、本考案の第２実施形態に係る非常用トイレ給水装置について説明する。図４を参照して、本実施形態に係る非常用トイレ給水装置１０１は、第１実施形態に係る非常用トイレ給水装置１と実質同一であるが、貯水器１０２の上面１０２ａには給水口２２に代えて給水口１２２が設けられている点で異なる。給水口１２２は、接続口２３と、接続口２３に着脱自在に装着される漏斗部材２４と、を有し、全体として漏斗状を有する。また、接続口２３には漏斗部材２４に代えて風呂水ポンプ１０のアダプタ１１が連結可能とされている。
【００２５】
より具体的に、接続口２３にはパッキン付の雄ねじ部が設けられ、漏斗部材２４には接続口２３の雄ねじ部と螺合可能な雌ねじ部が設けられ、接続口２３に漏斗部材２４をネジ嵌合させることにより、漏斗部材２４が接続口２３に装着される。漏斗部材２４は、第１実施形態の給水口２２と同様に、大径部２４ａと、小径部２４ｂと、大径部２４ａと小径部２４ｂとを接続するテーパ状の接続部２４ｃと、を有し、大径部２４ａの内寸は１１４ｍｍ〜１２０ｍｍであるのが好ましく、１１４ｍｍ〜１１８ｍｍであるのがより好ましく、小径部２４ｂの内寸は３６ｍｍ〜４０ｍｍであるのが好ましく、３６ｍｍ〜３８ｍｍであるのがより好ましい。なお、漏斗部材２４の長さ寸法Ｌ２を１２０ｍｍ以上とすることによりペットボトルＢを安定的に保持できる。
【００２６】
風呂水ポンプ１０は、ホース１２と、ホース１２の一端に設けられたポンプ１３と、乾電池式の電源器１４と、を有し、ポンプ１３と電源器１４とはコード１５で接続され、ホース１２の他端にアダプタ１１が装着されている。アダプタ１１には接続口２３の雄ねじ部に螺合可能な雌ねじ部が設けられ、接続口２３にアダプタ１１をネジ嵌合させることにより風呂水ポンプ１０のホース１２が接続口２３に接続される。
【００２７】
かかる構成において、ペットボトルの水を貯水器１０２に供給する場合には、接続口２３に漏斗部材２４を接続し、上述した第１実施形態と同様に漏斗部材２４に水の入ったペットボトルを差し込めばよい。一方、風呂水ＢＷを貯水器１０２に供給する場合には、接続口２３にアダプタ１１を接続し、ポンプ１３を浴槽Ｄ内に沈めて電源器１４のスイッチ１４ａを押せばよい。これによりポンプ１３が作動して風呂水ＢＷがホース１２を介して貯水器１０２に供給される。その後、使用者は、貯水器１０２内の水レベルを目視で確認したり報知器（５２）が作動したのを確認したりして、任意のタイミングでポンプ１３の作動を停止させればよい。
【００２８】
ここで、本実施形態における外枠６の開口１０６ｂは、接続口２３への漏斗部材２４又はアダプタ１１の着脱作業を容易にするために十分な寸法を有するのが好ましい。なお、図３において蓋（６ａ）は省略されている。
【００２９】
［第３実施形態］
次に、本考案の第３実施形態に係る非常用トイレ給水装置について説明する。本実施形態に係る非常用トイレ給水装置は、第１実施形態に係る非常用トイレ給水装置１と実質同一であるが、貯水器２０２の上面２ａには給水口２２に代えて給水口２２２が設けられている点で異なる。給水口２２２は、円形状の横断面を有し、貯水器２０２の上面２ａから環状に起立する小径部２２ｂと、小径部２２ｂから上方に延びて縦断面円弧状を有する椀状部２２ｄと、を有する。椀状部２２ｄの縦断面の曲率半径Ｒは、８０ｍｍ〜８５ｍｍであるのが好ましく、８３ｍｍであるのがより好ましい。また、椀状部２２ｄの上側開口部の内寸Ｌ３は１１３ｍｍ〜１２０ｍｍであるのが好ましく、１１６ｍｍであるのがより好ましい。このように構成することにより、口部が小径部２２ｂに挿入されたペットボトル（Ｂ）の肩部を椀状部２２ｄの内面にて安定的に保持することができる。
【００３０】
以上、本考案の実施形態に係る非常用トイレ給水装置について添付の図面を参照して説明したが、本考案はかかる実施形態に限定されず、本考案の範囲を逸脱することなく種々の変形、修正が可能である。
【００３１】
例えば、上記実施形態においてはポンプ４としてタイマ付きのポンプを用いたが、タイマを備えないポンプを用いることもできる。この場合には、スイッチ９を押すとポンプ４が作動し、スイッチ９を再度押すとポンプ４が停止するようにすればよい。
【００３２】
また、スリット６ａの近傍に貯水器２（１０２）内を照らすランプを設け、スリット６ａを介した貯水器２（１０２）内の水レベルを目視し易くしてもよい。
【００３３】
更に、蓋６１は図１に示す様なヒンジ式の蓋に限定されず、スライド式の蓋や落とし蓋等であってもよい。
【００３４】
また、第２実施形態においては、漏斗部材２４に代えて、小径部２４ｂと、小径部２４ｂから起立して図５に示す椀状部２２ｄと同様の形状を有する椀状部と、有する漏斗部材を用いることもできる。
【００３５】
更に、上記実施形態においては２リットルのペットボトルＢを用いた例について説明したが、形状的に可能であれば（給水口に差し込めれば）、これ以外のボトルを用いることができる。例えば、１リットル容量のペットボトルであれば問題なく使用可能と考えられる。
【００３６】
上記各実施形態においては、図１に示す様に、給水ホース３の他端部をタンクＴの手洗い管ＵにバンドＶにより固定し、上蓋Ｌに設けられた手洗鉢の排水口（図示せず）を介してタンクＴ内へ水を供給するようにされているが、手洗いなしタイプのタンクを有する水洗トイレの場合には、タンクＴとタンクＴの上開口を覆うための上蓋Ｌとの間から給水するようにすればよい。具体的には、例えば図６に示す様に、タンクＴと上蓋Ｌとの間に環状のスペーサ９１を介在させ、スペーサ９１に設けられた開口部９１ａにアダプタ３１をタンクＴ内から挿通させ、アダプタ３１の先端に給水ホース３の他端部を接続させ、貯水器２（１０２）内の水Ｗをアダプタ３１を介してタンクＴへ供給すればよい。
【００３７】
ここで、スペーサ９１は、例えば剛性の高いゴム部材からなるのが好ましく、また縦断面Ｈ形状を有するように上下一対の環状溝部９１ｂを有するのが好ましい。環状溝部９１ｂにタンクＴの上縁及び上蓋Ｌの下縁を嵌め込むようにしてスペーサ９１を装着させることで、タンクＴをほぼ気密状態に保つことができ、臭いの漏れを防止できる。また、アダプタ３１として平面視台形状を有する薄型アダプタを用い、アダプタ３１（より具体的には、アダプタ３１が有する台形形状の短辺側）をスペーサ９１の開口部９１ａにタンクＴの内側から差し込み、その先端に給水ホース３を連結させるのが好ましい。このように構成することで、給水ホース３が外側から引っ張られてもアダプタ３１が開口部９１ａに引っかかり、アダプタ３１と共に給水ホース３が開口部９１から容易に外れてしまうのを防止できる。
【００３８】
また、貯水器２（１０２，２０２）への給水時に誤って水が溢れた場合に備えて、外枠６の下に防水トレイ（図示せず）を設置しても良い。このように防水トレイを設置することにより、万一の場合であっても階下への水漏れを防止できる。
【００３９】
上記実施形態においては、２本の検出電極５１ａを有するレベルセンサ５１を用いたが、これに代えて３本の検出電極を有するレベルセンサ５１を用いることにより、貯水器２内の水レベルが所定レベルに達した際に報知器５２を作動させるのに加え、貯水器２が満水レベル（所定レベルよりも高い水レベル）に達した際に満水警報器（図示せず）を作動させて貯水器２が満水に達したことを周囲に報知する構成とすることもできる。また、このような３本の検出電極を有するレベルセンサ５１を用いて貯水器２の満水を検知する形態においては、貯水器２が満水に達した際に給水ポンプ４を駆動させ、貯水器２から水洗トイレＡのタンクＴへ給水させることにより、貯水器２への給水時に水が溢れるのを防止することもできる。
【符号の説明】
【００４０】
１，１０１  非常用トイレ給水装置
２，１０２、２０２  貯水器
３  給水ホース
４  ポンプ
６  外枠
７  電池
８  電池室
２２，２３、２２２  給水口
９１  スペーサ
Ａ  水洗トイレ
Ｔ  タンク
【図１】
0003209243.tif 000003
【図２】
0003209243.tif 000004
【図３】
0003209243.tif 000005
【図４】
0003209243.tif 000006
【図５】
0003209243.tif 000007
【図６】
0003209243.tif 000008